(57)【特許請求の範囲】
【請求項１】
色材と、保湿剤と、加水分解性シランと、水とを含有させた後、系のｐＨを下げて使用されるインクジェット記録用インクであって、
前記インクには、ｐＨを下げたときに増加する水素イオンを捕捉する水素イオン捕捉剤として機能する水溶性スルホキシドが質量百分率で４％〜１５％含有されることを特徴とするインクジェット記録用インク。
【請求項２】
色材と、保湿剤と、加水分解性シランと、水とを含有させた後、系のｐＨを下げて使用されるインクジェット記録用インクであって、
前記インクには、ｐＨを下げたときに増加する水素イオンを捕捉する水素イオン捕捉剤として機能するヘキサメチルホスホルアミドが質量百分率で０．１％〜２０％含有されることを特徴とするインクジェット記録用インク。
【請求項３】
色材と、保湿剤と、加水分解性シランと、水とを含有させた後、系のｐＨを下げて使用されるインクジェット記録用インクであって、
前記インクには、シアノ基を分子中に有し、ｐＨを下げたときに増加する水素イオンを捕捉する水素イオン捕捉剤として機能する水溶性有機化合物が質量百分率で２％〜１５％含有されることを特徴とするインクジェット記録用インク。
【請求項４】
請求項１〜３のいずれか１つのインクジェット記録用インクにおいて、
浸透剤を含有することを特徴とするインクジェット記録用インク。
【請求項５】
請求項１〜４のいずれか１つのインクジェット記録用インクを用いたことを特徴とするインクカートリッジ。
【請求項６】
請求項１〜４のいずれか１つのインクジェット記録用インクを用いたことを特徴とする記録装置。
【発明の詳細な説明】
【０００１】
【発明の属する技術分野】
本発明は、インクジェット記録用インク、それを用いたインクカートリッジ及び記録装置に関する技術分野に属する。
【０００２】
【従来の技術】
従来より、この種のインクジェット記録に用いられるインクとしては、色材としての染料、保湿剤、浸透剤及び水を含有したものがよく知られている。ところが、染料を含有したインクにより記録紙等の記録媒体上に画像を形成すると、その画像の耐水性、すなわち画像が水に濡れると染料が水中に染み出してしまうことが問題となる。特に普通紙（広範な市販の紙で、とりわけ電子写真方式の複写機に用いられる紙であって、インクジェット記録用として最適な構造、組成、特性等を有するように意図して製造されてはいない紙）に記録した場合は、耐水性が非常に悪くなる。
【０００３】
そこで、従来、例えば特開平１０―２１２４３９号、特開平１１―２９３１６７号及び特開平１１―３１５２３１号の各公報に示されているように、加水分解性シラン化合物（有機ケイ素化合物）を含有させることにより、記録媒体上の画像の耐水性を向上させるようにしたインクジェット記録用インクが提案されている。すなわち、インク滴が記録媒体上に付着して水分（溶媒）が蒸発したり記録媒体内に浸透したりしたときに、上記記録媒体上に残った上記シラン化合物が縮重合反応し、この縮重合反応したシラン化合物が染料を取り囲むため、記録媒体上の画像が水に濡れても、染料がその水中に染み出すことはなく、その画像の耐水性が向上する。
【０００４】
【発明が解決しようとする課題】
ところが、上記提案例のインクはいずれも高アルカリであり、このインクを用いた記録装置においてインクに接する部材が劣化するばかりでなく、このインクに接する部材から可塑剤等の溶出が促進されて、その可塑剤の酸により下記の如くインクそのものに凝集物が沈殿するという問題があった。さらに、高アルカリのインクは、安全衛生面上でも問題がある。
【０００５】
このため、インクに対し酸等を添加して低アルカリ化を図ってもよいが、インクは例えばｐＨ１０以下の低アルカリ領域において系が不安定となり、ｐＨに対する余裕度が小さく、長期保存を安定してできないという問題が生じる。すなわち、インクに色材として含有されている酸性染料又は直接染料には、親水性を持たせるために、一般的に−ＳＯ３Ｍ又は−ＣＯＯＭ（Ｍ＝Ｈ、ＮＨ４又はアルカリ金属）が１つ以上含まれ、この染料の親水基部（極性基部）近傍に極性のある加水分解性シラン分子が緩い状態で集まっており、この系はｐＨ１０を越える高アルカリ状態で安定に存在し得る。ところが、この系中に酸等を添加して系のｐＨを下げようとすると、増加する水素イオンが染料−耐水剤会合体のアミノ基に付加し、系が破壊されて染料と耐水剤との凝集物の沈殿を生じる。
【０００６】
本発明は斯かる諸点に鑑みてなされたもので、その目的は、普通紙上で耐水性の優れた高印字品質及び高画質の記録物を与えるだけでなく、ｐＨに対する余裕度が大きくて長期保存安定性に優れる。また記録装置での接触部材の劣化を招来しない低アルカリのインク及びそれを用いた記録装置が得られるようにすることにある。
【０００７】
【課題を解決するための手段】
上記の目的を達成するために、請求項１の発明では、色材、保湿剤、加水分解性シラン、及び水を含有させた後、系のｐＨを下げて使用されるインクジェット記録用インクとして、そのインクには、ｐＨを下げたときに増加する水素イオンを捕捉する水素イオン捕捉剤として機能する水溶性スルホキシドが質量百分率で４％〜１５％含有されることを特徴とする。
【０００８】
請求項２の発明では、色材、保湿剤、加水分解性シラン、及び水を含有させた後、系のｐＨを下げて使用されるインクジェット記録用インクとして、そのインクには、ｐＨを下げたときに増加する水素イオンを捕捉する水素イオン捕捉剤として機能するヘキサメチルホスホルアミドが質量百分率で０．１％〜２０％含有されることを特徴とする。
【０００９】
請求項３の発明では、色材、保湿剤、加水分解性シラン、及び水を含有させた後、系のｐＨを下げて使用されるインクジェット記録用インクとして、そのインクには、シアノ基を分子中に有し、ｐＨを下げたときに増加する水素イオンを捕捉する水素イオン捕捉剤として機能する水溶性有機化合物が質量百分率で２％〜１５％含有されることを特徴とする。
【００１０】
請求項４の発明では、上記請求項１〜３のいずれか１つの発明のインクジェット記録用インクにおいて、浸透剤を含有することを特徴とする。
【００１１】
請求項５の発明では、請求項１〜４のいずれか１つのインクジェット記録用インクを用いたインクカートリッジとする。
【００１２】
請求項６の発明では、請求項１〜４のいずれか１つのインクジェット記録用インクを用いた記録装置とする。
【００１３】
上記の構成によると、インクにおいて、染料等からなる色材の親水基部（極性基部）近傍に極性のある加水分解性シラン分子が緩い状態で集まっている系中に酸等を添加して系のｐＨを下げると、増加する水素イオンが色材−耐水剤会合体のアミノ基に付加しようとする。しかし、水溶性スルホキシド、ヘキサメチルホスホルアミド、又はシアノ基を分子中に有する水溶性有機化合物が水素イオン捕捉剤として機能し、この水素イオン捕捉剤により、増加する水素イオンが色材−耐水剤会合体のアミノ基に付加しないようにトラップされる。そのとき、水素イオン捕捉剤は水素イオンと反応する訳ではなく、単に色材−耐水剤会合体のアミノ基に付加しないように水素イオンを拘束する。このことで、水素イオンを増加させたまま、換言すれば低アルカリを保ちつつ、その水素イオンが色材−耐水剤会合体のアミノ基に付加するのを抑制でき、インクは低アルカリ領域において系が安定となり、ｐＨに対する余裕度が大きくなってインクを安定して長期保存することができる。
【００１４】
また、このようにインクを低アルカリとできるので、記録装置においてインクに接する部材の劣化を防止できるとともに、その部材からの可塑剤等の溶出を抑えて、インク自体に凝集物が沈殿するのを抑制できる。さらに、インクが低ｐＨであるので、安全衛生面上の問題は生じない。
【００１５】
【発明の実施の形態】
図１は、本発明の実施形態に係るインクジェット記録用インクを備えたインクジェット式記録装置Ａの概略を示し、この記録装置Ａは、上記インクを有するインクカートリッジ３５が上面に装着されたインクジェットヘッド１を備え、このインクジェットヘッド１はインクを後述の如く記録媒体としての記録紙４１に吐出する。また、インクジェットヘッド１はキャリッジ３１に支持固定され、このキャリッジ３１は、主走査方向（図１及び図２に示すＸ方向）に延びるキャリッジ軸３２に支持されている。そして、キャリッジ３１にはキャリッジモータ（図示せず）が設けられており、このキャリッジモータにより、インクジェットヘッド１及びキャリッジ３１がキャリッジ軸３２にガイドされて主走査方向に往復動するようになっている。
【００１６】
上記記録紙４１は、図外の搬送モータによって回転駆動される２つの搬送ローラ４２に挟まれており、この搬送モータ及び各搬送ローラ４２により、記録紙４１がインクジェットヘッド１の下側において上記主走査方向と垂直な副走査方向（図１及び図２に示すＹ方向）に搬送されるようになっている。
【００１７】
上記インクジェットヘッド１は、図２〜図４に示すように、インクを供給するための供給口３ａ及びインクを吐出するための吐出口３ｂを有する複数の圧力室用凹部３が形成されたヘッド本体２を備えている。このヘッド本体２の各凹部３は、該ヘッド本体２の上面に上記主走査方向に延びるように開口されていて、互いに上記副走査方向に略等間隔をあけた状態で並設されている。上記各凹部３の開口の全長は例えば約１２５０μｍに、また幅は例えば約１３０μｍにそれぞれ設定されている。尚、上記各凹部３の開口の両端部は、略半円形状をなしている。
【００１８】
上記ヘッド本体２の各凹部３の側壁部は、約２００μｍ厚の感光性ガラス製の圧力室部品６で構成され、各凹部３の底壁部は、この圧力室部品６の下面に接着固定されかつ６枚のステンレス鋼薄板を積層してなるインク流路部品７で構成されている。このインク流路部品７内には、上記各凹部３の供給口３ａとそれぞれ接続された複数のオリフィス８と、この各オリフィス８に接続され、上記副走査方向に延びる１つの供給用インク流路１１と、上記吐出口３ｂにそれぞれ接続された複数の吐出用インク流路１２とが形成されている。
【００１９】
上記各オリフィス８は、インク流路部品７において板厚が他よりも小さい上から２番目のステンレス鋼薄板に形成されており、その径は約３８μｍに設定されている。また、上記供給用インク流路１１は上記インクカートリッジ３５と接続されており、このインクカートリッジ３５より供給用インク流路１１内にインクが供給されるようになっている。
【００２０】
上記インク流路部品７の下面にはステンレス鋼からなるノズル板９が接着固定され、このノズル板９の下面は撥水膜９ａで被覆されている。ノズル板９には、インク滴を上記記録紙４１に向けて吐出するための複数のノズル１４がインクジェットヘッド１の下面において上記副走査方向に列状に並ぶように形成されている。この各ノズル１４は、上記吐出用インク流路１２とそれぞれ接続されていて、この吐出用インク流路１２を介して上記各凹部３の吐出口３ｂにそれぞれ連通されている。尚、上記各ノズル１４は、ノズル径がノズル先端側に向かって小さくなるテーパ部と、該テーパ部のノズル先端側に連続して設けられたストレート部とからなり、このストレート部のノズル径は約２０μｍに設定されている。
【００２１】
上記ヘッド本体２の各凹部３の上側には、圧電アクチュエータ２１がそれぞれ設けられている。この各圧電アクチュエータ２１は、上記ヘッド本体２の上面に接着固定された状態で該ヘッド本体２の各凹部３を塞いで該凹部３とで圧力室４を構成するＣｒ製振動板２２を有している。この振動板２２は、全ての圧電アクチュエータ２１に共通の１つのものからなっていて、後述の全圧電素子２３に共通の共通電極としての役割をも果たしている。
【００２２】
また、上記各圧電アクチュエータ２１は、上記振動板２２の上記圧力室４と反対側面（上面）において圧力室４に対応する部分（凹部３開口に対向する部分）にＣｕ製の中間層２５を介してそれぞれ設けられかつチタン酸ジルコン酸鉛（ＰＺＴ）からなる圧電素子２３と、この各圧電素子２３の上記振動板２２と反対側面（上面）にそれぞれ接合され、該振動板２２と共に各圧電素子２３に電圧（駆動電圧）をそれぞれ印加するためのＰｔ製個別電極２４とを有している。
【００２３】
上記振動板２２、各圧電素子２３、各個別電極２４及び各中間層２５は、全て薄膜で形成されてなっており、振動板２２の厚みは約６μｍに、また各圧電素子２３の厚みは８μｍ以下（例えば約３μｍ）に、さらに各個別電極２４の厚みは約０．２μｍに、また各中間層２５の厚みは約３μｍにそれぞれ設定されている。
【００２４】
上記各圧電アクチュエータ２１は、その振動板２２と各個別電極２４とを介して各圧電素子２３に駆動電圧を印加することにより該振動板２２の圧力室４に対応する部分（凹部３の開口部分）を変形させることで、該圧力室４内のインクを吐出口３ｂないしノズル１４から吐出させるようになっている。すなわち、振動板２２と個別電極２４との間にパルス状の電圧を印加すると、そのパルス電圧の立ち上がりにより圧電素子２３が圧電効果によりその厚み方向と垂直な幅方向に収縮するのに対し、振動板２２、個別電極２４及び中間層２５は収縮しないので、いわゆるバイメタル効果により振動板２２の圧力室４に対応する部分が圧力室４側へ凸状に撓んで変形する。この撓み変形により圧力室４内の圧力が高まり、この圧力で圧力室４内のインクが吐出口３ｂ及び吐出用インク流路１２を経由してノズル１４から押し出される。そして、上記パルス電圧の立ち下がりにより圧電素子２３が伸長して振動板２２の圧力室４に対応する部分が元の状態に復帰し、このとき、上記ノズル１４から押し出されていたインクがインク流路１２内のインクから引きちぎられて、インク滴（例えば３ｐｌ）として記録紙４１へ吐出され、該記録紙４１面にドット状に付着することとなる。また、上記振動板２２が凸状に撓んで変形した状態から元の状態に復帰する際に、圧力室４内には上記インクカートリッジ３５より供給用インク流路１１及び供給口３ａを介してインクが充填される。尚、各圧電素子２３に印加するパルス電圧としては、上記のように押し引きタイプのものでなくても、第１の電圧から該第１の電圧よりも低い第２の電圧まで立ち下がった後に上記第１の電圧まで立ち上がる引き押しタイプのものであってもよい。
【００２５】
上記各圧電素子２３への駆動電圧の印加は、インクジェットヘッド１及びキャリッジ３１を主走査方向において記録紙４１の一端から他端まで略一定速度で移動させているときに所定時間（例えば５０μｓ程度：駆動周波数２０ｋＨｚ）毎に行われ（但し、インクジェットヘッド１が記録紙４１におけるインク滴を着弾させない箇所に達したときには電圧が印加されない）、このことで、記録紙４１の所定位置にインク滴を着弾させる。そして、１走査分の記録が終了すると、搬送モータ及び各搬送ローラ４２により記録紙４１を副走査方向に所定量搬送し、再度、インクジェットヘッド１及びキャリッジ３１を主走査方向に移動させながらインク滴を吐出させて、新たな１走査分の記録を行う。この動作を繰り返すことによって、記録紙４１全体に所望の画像が形成される。
【００２６】
上記記録装置Ａに用いるインクは、色材としての水溶性染料（顔料であってもよい）と、上記インクジェットヘッド１のノズル１４等での乾きを抑制する保湿剤と、該インク（溶媒）の記録紙４１内への浸透性を高める浸透剤と、水と、この水がない状態で縮重合反応する水溶性物質としての加水分解性シラン化合物と、水素イオン捕捉剤とを含有している。
【００２７】
上記シラン化合物は、上記インクジェットヘッド１のノズル１４から吐出されたインク滴が記録紙４１上に付着して、水分（溶媒）が蒸発したり記録紙４１内に浸透したりしたときに上記記録紙上４１で縮重合反応をし、このときに染料を取り囲むことにより、記録紙４１上の画像が水に濡れても、染料がその水中に染み出すの防止して、その画像の耐水性を向上させる働きをするものである。このものは、アミノ基を有する有機基を含有するアルコキシシランとアミノ基を含有しないアルコキシシランとの加水分解反応物、又は、アミノ基を含有する加水分解性シランに有機モノエポキシ化合物を反応させた加水分解性シランと窒素原子を含有しない加水分解性シランとを加水分解することにより得られる有機ケイ素化合物であることが望ましい。
【００２８】
上記染料は、どのようなものであってもよいが、水溶性の酸性染料又は直接染料であることが好ましく、上記保湿剤は、グリセリン等の多価アルコール、又は２−ピロリドンやＮ−メチル−２−ピロリドンのような水溶性の窒素複素環化合物であることが望ましい。
【００２９】
上記浸透剤は、ジエチレングリコールモノブチルエーテル等のような、多価アルコールのモノアルキルエーテルであることが好ましい。
【００３０】
そして、上記インクに含まれる水素イオン捕捉剤は、それ自身が高い極性を持っていて、イオン−双極子相互作用によって水素イオン（＋電荷）を自身に引き付けることができるような電子密度の高い部位を有する水溶性の有機化合物を指す。この高い電子密度を持つ部位としては、炭素原子とは異なった電気陰性度を持つ原子（例えばＮ、Ｏ原子等）を含み、極性を発現する置換基である。但し、その部位が解離してプロトンを容易に生じるようなものは除く。該当する置換基としては、ハロゲン類、水酸基、アミノ基、ニトロ基、アルコキシル基、エステル基、シアノ基、アミド基、エーテル結合等が挙げられる。
【００３１】
そして、該当する化合物としては、水溶性スルホキシド、ヘキサメチルホスホルアミド、シアノ基を分子中に有する水溶性有機化合物であり、具体的には、ＡＮ、ＤＭＳＯ、ＨＭＰＡ等の極性非プロトン性溶媒等が挙げられる。
【００３２】
したがって、上記実施形態において、インクにおける染料の親水基部（極性基部）近傍に極性のある加水分解性シラン分子が緩い状態で集まっている系中に酸等を添加して系のｐＨを下げたとき、増加する水素イオンが染料−耐水剤会合体のアミノ基に付加しようとするが、増加するイオンは水素イオン捕捉剤により染料−耐水剤会合体のアミノ基に付加しないようにトラップされる。この水素イオン捕捉剤によるトラップは、水素イオン捕捉剤の水素イオンとの反応ではなく、単に水素イオン捕捉剤が染料−耐水剤会合体のアミノ基に付加しないように水素イオンを拘束する形態となる。その結果、水素イオンを増加させて低ｐＨ化を保ちつつ、その水素イオンが染料−耐水剤会合体のアミノ基に付加するのを抑制でき、低ｐＨ領域においてインクの系が安定となり、ｐＨに対する余裕度が大きくなってインクを安定して長期保存することができる。
【００３３】
また、上記インクは低アルカリとすることができるので、記録装置Ａにおいてインクに接する部材の劣化を防止できるとともに、その部材からの可塑剤等の溶出を抑えて、インク自体に凝集物が沈殿するのを抑制できる。さらに、インクが低アルカリであるので、安全衛生面上の問題は生じない。
【００３４】
【実施例】
次に、具体的に実施した例について説明する。まず、以下の組成（各組成物の含有量は質量百分率である）からなる７９２種類のインクジェット記録用インクを調合した（実施例及び参考例Ａ１〜Ｖ１）。
【００３５】
上記実施例及び参考例Ａ１〜Ｖ１の全てにおいて、保湿剤としてグリセリンを、浸透剤としてジエチレングリコールモノブチルエーテル（ＤＥＧＭＢＥ）をそれぞれ含有させた。また、染料としては、アシッドブラック２を含有させた。さらに、水がない状態で縮重合反応する水溶性物質として有機ケイ素化合物をそれぞれ含有させた。この有機ケイ素化合物として、互いに異なる３種類の有機ケイ素化合物（Ａ）〜（Ｃ）を用い、上記有機ケイ素化合物（Ａ）は以下の方法により生成した。すなわち、反応容器に入れた１２０ｇ（６．６７モル）の水に、０．２モルのＨ２ＮＣＨ２ＣＨ２ＨＮＣＨ２ＣＨ２ＣＨ２Ｓｉ（ＯＣＨ３）３と、０．１モルのＳｉ（ＯＣＨ３）４との混合物を室温で一滴一滴加えて、その全量滴下後に６０℃で１時間攪拌することにより得たものが、有機ケイ素化合物（Ａ）である。
【００３６】
また、反応容器に入れた１２０ｇ（６．６７モル）の水に、０．２モルの（ＣＨ３）２ＮＣＨ２ＣＨ２ＣＨ２Ｓｉ（ＯＣＨ３）３と、０．１モルのＣＨ３Ｓｉ（ＯＣＨ３）３との混合物を室温で一滴一滴加えて、その全量滴下後に６０℃で１時間攪拌することにより得たものが、有機ケイ素化合物（Ｂ）である。
【００３７】
さらに、有機ケイ素化合物（Ｃ）は以下の方法により生成した。すなわち、反応容器に入れた１００ｇ（０．５６モル）のＨ２ＮＣＨ２ＣＨ２ＣＨ２Ｓｉ（ＯＣＨ３）３に、４９ｇ（０．６６モル）の２，３−エポキシ−１−プロパノールを一滴一滴加えて、その全量滴下後に８０℃で５時間攪拌することにより、アミノ基とエポキシ基とを反応させた加水分解性シランを得、次に、新たな反応容器に、１２０ｇ（６．６７モル）の水と、５０．６ｇ（０．２モル）の上記加水分解性シランと、１５．２ｇ（０．１モル）のＳｉ（ＯＣＨ３）４との混合物を一滴一滴加えて、その全量滴下後に６０℃で１時間反応させることにより得たものが、有機ケイ素化合物（Ｃ）である。
【００３８】
（実施例Ａ１）
アシッドブラック２                        ５％
グリセリン                              １０％
ＤＥＧＭＢＥ                              ５％
有機ケイ素化合物（Ａ）                    ５％
純水                                ７４．９％
アセトン                              ０．１％
（実施例Ａ２）
アシッドブラック２                        ５％
グリセリン                              １０％
ＤＥＧＭＢＥ                              ５％
有機ケイ素化合物（Ａ）                    ５％
純水                                ７４．５％
アセトン                              ０．５％
（実施例Ａ３）
アシッドブラック２                        ５％
グリセリン                              １０％
ＤＥＧＭＢＥ                              ５％
有機ケイ素化合物（Ａ）                    ５％
純水                                    ７４％
アセトン                                  １％
（実施例Ａ４）
アシッドブラック２                        ５％
グリセリン                              １０％
ＤＥＧＭＢＥ                              ５％
有機ケイ素化合物（Ａ）                    ５％
純水                                    ７３％
アセトン                                  ２％
（実施例Ａ５）
アシッドブラック２                        ５％
グリセリン                              １０％
ＤＥＧＭＢＥ                              ５％
有機ケイ素化合物（Ａ）                    ５％
純水                                    ７１％
アセトン                                  ４％
（実施例Ａ６）
アシッドブラック２                        ５％
グリセリン                              １０％
ＤＥＧＭＢＥ                              ５％
有機ケイ素化合物（Ａ）                    ５％
純水                                    ６９％
アセトン                                  ６％
（実施例Ａ７）
アシッドブラック２                        ５％
グリセリン                              １０％
ＤＥＧＭＢＥ                              ５％
有機ケイ素化合物（Ａ）                    ５％
純水                                    ６７％
アセトン                                  ８％
（実施例Ａ８）
アシッドブラック２                        ５％
グリセリン                              １０％
ＤＥＧＭＢＥ                              ５％
有機ケイ素化合物（Ａ）                    ５％
純水                                    ６５％
アセトン                                １０％
（実施例Ａ９）
アシッドブラック２                        ５％
グリセリン                              １０％
ＤＥＧＭＢＥ                              ５％
有機ケイ素化合物（Ａ）                    ５％
純水                                    ６０％
アセトン                                １５％
（実施例Ａ１０）
アシッドブラック２                        ５％
グリセリン                              １０％
ＤＥＧＭＢＥ                              ５％
有機ケイ素化合物（Ａ）                    ５％
純水                                    ５５％
アセトン                                ２０％
（参考例Ａ１１）
アシッドブラック２                        ５％
グリセリン                              １０％
ＤＥＧＭＢＥ                              ５％
有機ケイ素化合物（Ａ）                    ５％
純水                                    ４５％
アセトン                                ３０％
（参考例Ａ１２）
アシッドブラック２                        ５％
グリセリン                              １０％
ＤＥＧＭＢＥ                              ５％
有機ケイ素化合物（Ａ）                    ５％
純水                                    ２５％
アセトン                                ５０％
（実施例Ａ１３）
アシッドブラック２                        ５％
グリセリン                              １０％
ＤＥＧＭＢＥ                              ５％
有機ケイ素化合物（Ｂ）                    ５％
純水                                    ７４．９％
アセトン                              ０．１％
（実施例Ａ１４）
アシッドブラック２                        ５％
グリセリン                              １０％
ＤＥＧＭＢＥ                              ５％
有機ケイ素化合物（Ｂ）                    ５％
純水                                    ７４．５％
アセトン                              ０．５％
（実施例Ａ１５）
アシッドブラック２                        ５％
グリセリン                              １０％
ＤＥＧＭＢＥ                              ５％
有機ケイ素化合物（Ｂ）                    ５％
純水                                    ７４％
アセトン                                  １％
（実施例Ａ１６）
アシッドブラック２                        ５％
グリセリン                              １０％
ＤＥＧＭＢＥ                              ５％
有機ケイ素化合物（Ｂ）                    ５％
純水                                    ７３％
アセトン                                  ２％
（実施例Ａ１７）
アシッドブラック２                        ５％
グリセリン                              １０％
ＤＥＧＭＢＥ                              ５％
有機ケイ素化合物（Ｂ）                    ５％
純水                                    ７１％
アセトン                                  ４％
（実施例Ａ１８）
アシッドブラック２                        ５％
グリセリン                              １０％
ＤＥＧＭＢＥ                              ５％
有機ケイ素化合物（Ｂ）                    ５％
純水                                    ６９％
アセトン                                  ６％
（実施例Ａ１９）
アシッドブラック２                        ５％
グリセリン                              １０％
ＤＥＧＭＢＥ                              ５％
有機ケイ素化合物（Ｂ）                    ５％
純水                                    ６７％
アセトン                                  ８％
（実施例Ａ２０）
アシッドブラック２                        ５％
グリセリン                              １０％
ＤＥＧＭＢＥ                              ５％
有機ケイ素化合物（Ｂ）                    ５％
純水                                    ６５％
アセトン                                １０％
（実施例Ａ２１）
アシッドブラック２                        ５％
グリセリン                              １０％
ＤＥＧＭＢＥ                              ５％
有機ケイ素化合物（Ｂ）                    ５％
純水                                    ６０％
アセトン                                １５％
（実施例Ａ２２）
アシッドブラック２                        ５％
グリセリン                              １０％
ＤＥＧＭＢＥ                              ５％
有機ケイ素化合物（Ｂ）                    ５％
純水                                    ５５％
アセトン                                ２０％
（参考例Ａ２３）
アシッドブラック２                        ５％
グリセリン                              １０％
ＤＥＧＭＢＥ                              ５％
有機ケイ素化合物（Ｂ）                    ５％
純水                                    ４５％
アセトン                                ３０％
（参考例Ａ２４）
アシッドブラック２                        ５％
グリセリン                              １０％
ＤＥＧＭＢＥ                              ５％
有機ケイ素化合物（Ｂ）                    ５％
純水                                    ２５％
アセトン                                ５０％
（実施例Ａ２５）
アシッドブラック２                        ５％
グリセリン                              １０％
ＤＥＧＭＢＥ                              ５％
有機ケイ素化合物（Ｃ）                    ５％
純水                                    ７４．９％
アセトン                              ０．１％
（実施例Ａ２６）
アシッドブラック２                        ５％
グリセリン                              １０％
ＤＥＧＭＢＥ                              ５％
有機ケイ素化合物（Ｃ）                    ５％
純水                                    ７４．５％
アセトン                              ０．５％
（実施例Ａ２７）
アシッドブラック２                        ５％
グリセリン                              １０％
ＤＥＧＭＢＥ                              ５％
有機ケイ素化合物（Ｃ）                    ５％
純水                                    ７４％
アセトン                                  １％
（実施例Ａ２８）
アシッドブラック２                        ５％
グリセリン                              １０％
ＤＥＧＭＢＥ                              ５％
有機ケイ素化合物（Ｃ）                    ５％
純水                                    ７３％
アセトン                                  ２％
（実施例Ａ２９）
アシッドブラック２                        ５％
グリセリン                              １０％
ＤＥＧＭＢＥ                              ５％
有機ケイ素化合物（Ｃ）                    ５％
純水                                    ７１％
アセトン                                  ４％
（実施例Ａ３０）
アシッドブラック２                        ５％
グリセリン                              １０％
ＤＥＧＭＢＥ                              ５％
有機ケイ素化合物（Ｃ）                    ５％
純水                                    ６９％
アセトン                                  ６％
（実施例Ａ３１）
アシッドブラック２                        ５％
グリセリン                              １０％
ＤＥＧＭＢＥ                              ５％
有機ケイ素化合物（Ｃ）                    ５％
純水                                    ６７％
アセトン                                  ８％
（実施例Ａ３２）
アシッドブラック２                        ５％
グリセリン                              １０％
ＤＥＧＭＢＥ                              ５％
有機ケイ素化合物（Ｃ）                    ５％
純水                                    ６５％
アセトン                                １０％
（実施例Ａ３３）
アシッドブラック２                        ５％
グリセリン                              １０％
ＤＥＧＭＢＥ                              ５％
有機ケイ素化合物（Ｃ）                    ５％
純水                                    ６０％
アセトン                                １５％
（実施例Ａ３４）
アシッドブラック２                        ５％
グリセリン                              １０％
ＤＥＧＭＢＥ                              ５％
有機ケイ素化合物（Ｃ）                    ５％
純水                                    ５５％
アセトン                                ２０％
（参考例Ａ３５）
アシッドブラック２                        ５％
グリセリン                              １０％
ＤＥＧＭＢＥ                              ５％
有機ケイ素化合物（Ｃ）                    ５％
純水                                    ４５％
アセトン                                ３０％
（参考例Ａ３６）
アシッドブラック２                        ５％
グリセリン                              １０％
ＤＥＧＭＢＥ                              ５％
有機ケイ素化合物（Ｃ）                    ５％
純水                                    ２５％
アセトン                                ５０％
（実施例及び参考例Ｂ１〜Ｂ３６）
上記実施例及び参考例Ａ１〜Ａ３６においてそれぞれアセトンをメチルエチルケトンに置き換えたもので、実施例Ｂ１〜Ｂ１０，Ｂ１３〜Ｂ２２，Ｂ２５〜Ｂ３４と、参考例Ｂ１１，Ｂ１２，Ｂ２３，Ｂ２４，Ｂ３５，Ｂ３６とからなる。
【００３９】
（実施例及び参考例Ｃ１〜Ｃ３６）
上記実施例及び参考例Ａ１〜Ａ３６においてそれぞれアセトンをアセトインに置き換えたもので、実施例Ｃ１〜Ｃ１１、Ｃ１３〜Ｃ２３、Ｃ２５〜Ｃ３５と、参考例Ｃ１２，Ｃ２４，Ｃ３６とからなる。
【００４０】
（実施例及び参考例Ｄ１〜Ｄ３６）
上記実施例及び参考例Ａ１〜Ａ３６においてそれぞれアセトンを尿素に置き換えたもので、実施例Ｄ１〜Ｄ１１，Ｄ１３〜Ｄ２３，Ｄ２５〜Ｄ３５と、参考例Ｄ１２，Ｄ２４，Ｄ３６とからなる。
【００４１】
（実施例Ｅ１〜Ｅ３６）
上記実施例及び参考例Ａ１〜Ａ３６においてそれぞれアセトンをＮ−メチル−２−ピロリドンに置き換えたもので、実施例のみである。
【００４２】
（実施例Ｆ１〜Ｆ３６）
上記実施例及び参考例Ａ１〜Ａ３６においてそれぞれアセトンを２−ピロリドンに置き換えたもので、実施例のみである。
【００４３】
（実施例及び参考例Ｇ１〜Ｇ３６）
上記実施例及び参考例Ａ１〜Ａ３６においてそれぞれアセトンをジアセトアミドに置き換えたもので、実施例Ｇ１〜Ｇ１０，Ｇ１３〜Ｇ２３，Ｇ２５〜Ｇ３４と、参考例Ｇ１１，Ｇ１２，Ｇ２４，Ｇ３５，Ｇ３６とからなる。
【００４４】
（実施例及び参考例Ｈ１〜Ｈ３６）
上記実施例及び参考例Ａ１〜Ａ３６においてそれぞれアセトンをアセトアミドに置き換えたもので、実施例Ｈ１〜Ｈ１１，Ｈ１３〜Ｈ３６と参考例Ｈ１２とからなる。
【００４５】
（実施例及び参考例Ｉ１〜Ｉ３６）
上記実施例及び参考例Ａ１〜Ａ３６においてそれぞれアセトンをＮ−メチルジアセトアミドに置き換えたもので、実施例Ｉ１〜Ｉ１１，Ｉ１３〜Ｉ２３，Ｉ２５〜Ｉ３５と、参考例Ｉ１２，Ｉ２４，Ｉ３６とからなる。
【００４６】
（実施例及び参考例Ｊ１〜Ｊ３６）
上記実施例及び参考例Ａ１〜Ａ３６においてそれぞれアセトンをＮ−エチルジアセトアミドに置き換えたもので、実施例Ｊ１〜Ｊ１１，Ｊ１３〜Ｊ２３，Ｊ２５〜Ｊ３５と、参考例Ｊ１２，Ｊ２４，Ｊ３６とからなる。
【００４７】
（実施例及び参考例Ｋ１〜Ｋ３６）
上記実施例及び参考例Ａ１〜Ａ３６においてそれぞれアセトンをＮ−アセチル尿素に置き換えたもので、実施例Ｋ１〜Ｋ１１，Ｋ１３〜Ｋ２３，Ｋ２５〜Ｋ３５と、参考例Ｋ１２，Ｋ２４，Ｋ３６とからなる。
【００４８】
（実施例及び参考例Ｌ１〜Ｌ３６）
上記実施例及び参考例Ａ１〜Ａ３６においてそれぞれアセトンをＮ−アセチル−Ｎ′−メチル尿素に置き換えたもので、実施例Ｌ１〜Ｌ１１，Ｌ１３〜Ｌ２３，Ｌ２５〜Ｌ３５と、参考例Ｌ１２，Ｌ２４，Ｌ３６とからなる。
【００４９】
（実施例及び参考例Ｍ１〜Ｍ３６）
上記実施例及び参考例Ａ１〜Ａ３６においてそれぞれアセトンをアセトアセトアニリドに置き換えたもので、実施例Ｍ１〜Ｍ８，Ｍ１３〜Ｍ２０，Ｍ２５〜Ｍ３２と、参考例Ｍ９〜Ｍ１２，Ｍ２１〜Ｍ２４，Ｍ３３〜Ｍ３６とからなる。
【００５０】
（実施例及び参考例Ｎ１〜Ｎ３６）
上記実施例及び参考例Ａ１〜Ａ３６においてそれぞれアセトンをＤＭＳＯに置き換えたもので、実施例Ｎ４〜Ｎ９，Ｎ１５〜Ｎ２２，Ｎ２９〜Ｎ３３と、参考例Ｎ１〜Ｎ３，Ｎ１０〜Ｎ１４，Ｎ２３〜Ｎ２８，Ｎ３４〜Ｎ３６とからなる。
【００５１】
（実施例及び参考例Ｏ１〜Ｏ３６）
上記実施例及び参考例Ａ１〜Ａ３６においてそれぞれアセトンをＤＭＦに置き換えたもので、実施例Ｏ１〜Ｏ１０，Ｏ１３〜Ｏ２３，Ｏ２５〜Ｏ３４と、参考例Ｏ１１，Ｏ１２，Ｏ２４，Ｏ３５，Ｏ３６とからなる。
【００５２】
（実施例及び参考例Ｐ１〜Ｐ３６）
上記実施例及び参考例Ａ１〜Ａ３６においてそれぞれアセトンをアセトニトリルに置き換えたもので、実施例Ｐ４〜Ｐ９，Ｐ１４〜Ｐ２２，Ｐ２８〜Ｐ３３と、参考例Ｐ１〜Ｐ３，Ｐ１０〜Ｐ１３，Ｐ２３〜Ｐ２７，Ｐ３４〜Ｐ３６とからなる。
【００５３】
（実施例及び参考例Ｑ１〜Ｑ３６）
上記実施例及び参考例Ａ１〜Ａ３６においてそれぞれアセトンをジエチルスルホキシドに置き換えたもので、実施例Ｑ４〜Ｑ９，Ｑ１５〜Ｑ２２，Ｑ２９〜Ｑ３３と、参考例Ｑ１〜Ｑ３，Ｑ１０〜Ｑ１４，Ｑ２３〜Ｑ２８，Ｑ３４〜Ｑ３６とからなる。
【００５４】
（実施例及び参考例Ｒ１〜Ｒ３６）
上記実施例及び参考例Ａ１〜Ａ３６においてそれぞれアセトンをＨＭＰＡに置き換えたもので、実施例Ｒ１〜Ｒ１０，Ｒ１３〜Ｒ２２，Ｒ２５〜Ｒ３４と、参考例Ｒ１１，Ｒ１２，Ｒ２３，Ｒ２４，Ｒ３５，Ｒ３６とからなる。
【００５５】
（実施例及び参考例Ｓ１〜Ｓ３６）
上記実施例及び参考例Ａ１〜Ａ３６においてそれぞれアセトンをメソキサリル尿素に置き換えたもので、実施例Ｓ１〜Ｓ９，Ｓ１３〜Ｓ２１，Ｓ２５〜Ｓ３３と、参考例Ｓ１０〜Ｓ１２，Ｓ２２〜Ｓ２４，Ｓ３４〜Ｓ３６とからなる。
【００５６】
（実施例及び参考例Ｔ１〜Ｔ３６）
上記実施例及び参考例Ａ１〜Ａ３６においてそれぞれアセトンをジメチルスルホンに置き換えたもので、実施例Ｔ４〜Ｔ１２，Ｔ１４〜Ｔ２４，Ｔ２７〜Ｔ３６と、参考例Ｔ１〜Ｔ３，Ｔ１３，Ｔ２５〜Ｔ２６とからなる。
【００５７】
（実施例及び参考例Ｕ１〜Ｕ３６）
上記実施例及び参考例Ａ１〜Ａ３６においてそれぞれアセトンをジエチルスルホンに置き換えたもので、実施例Ｕ４〜Ｕ１２，Ｕ１４〜Ｕ２４，Ｕ２７〜Ｕ３６と、参考例Ｕ１〜Ｕ３，Ｕ１３，Ｕ２５，Ｕ２６とからなる。
【００５８】
（実施例Ｖ１〜Ｖ３６）
上記実施例及び参考例Ａ１〜Ａ３６においてそれぞれアセトンをイソブチルアミドに置き換えたもので、実施例のみである。
【００５９】
一方、比較のために、以下の組成（各組成物の含有量は質量百分率である）からなる６種類のインクを調合した（比較例１〜６）。これら比較例１〜６においてはいずれも水素イオン捕捉剤を含有させていない。また、比較例４〜６においてはいずれも浸透剤（ＤＥＧＭＢＥ）を含有させていない。
【００６０】
（比較例１）
アシッドブラック２                        ５％
グリセリン                              １０％
ＤＥＧＭＢＥ                              ５％
有機ケイ素化合物（Ａ）                    ５％
純水                                    ７５％
（比較例２）
アシッドブラック２                        ５％
グリセリン                              １０％
ＤＥＧＭＢＥ                              ５％
有機ケイ素化合物（Ｂ）                    ５％
純水                                    ７５％
（比較例３）
アシッドブラック２                        ５％
グリセリン                              １０％
ＤＥＧＭＢＥ                              ５％
有機ケイ素化合物（Ｃ）                    ５％
純水                                    ７５％
（比較例４）
アシッドブラック２                        ５％
グリセリン                              １０％
有機ケイ素化合物（Ａ）                    ５％
純水                                    ８０％
（比較例５）
アシッドブラック２                        ５％
グリセリン                              １０％
有機ケイ素化合物（Ｂ）                    ５％
純水                                    ８０％
（比較例６）
アシッドブラック２                        ５％
グリセリン                              １０％
有機ケイ素化合物（Ｃ）                    ５％
純水                                    ８０％
上記実施例及び参考例Ａ１〜Ｖ３６及び比較例１〜６の各インクについて低アルカリ領域安定性試験を行った。この低アルカリ領域安定性試験では、各インクに０．５ｍｏｌ／ｌ ＨＣｌ水溶液をｐＨ＝１０．５になるまで少しずつ滴下し、凝集発生の有無を目視で確認した。その結果を表１に示す。この表１中、○は凝集なしを、また△は僅かな凝集有りを、さらに×は凝集有りを、さらに−は水素イオン捕捉剤が完全には溶解せず、相が分離してしまうので実施しなかった、をそれぞれ示している。尚、以下の表１〜表３において、「実施例」の欄は実施例又は参考例を表し、その縦欄「Ａ」〜「Ｖ」と横欄「１」〜「３６」との交差部で各「実施例」又は各「参考例」を表している（例えば縦欄「Ｂ」と横欄「１６」と交差部では「実施例Ｂ１６」）。
【００６１】
【表１】
0004015862.tif 000002
【００６２】
この表１の結果によると、比較例１〜６ではいずれも凝集が生じた。これに対し、実施例及び参考例Ａ１〜Ｖ３６では、所定の水素イオン捕捉剤が所定の濃度にあるとき（参考例Ｎ１〜Ｎ３，Ｎ１３〜Ｎ１４，Ｎ２５〜Ｎ２８，Ｐ１〜Ｐ３，Ｐ１３，Ｐ２５〜Ｐ２７，Ｑ１〜Ｑ３，Ｑ１３〜Ｑ１４，Ｑ２５〜Ｑ２８，Ｔ１〜Ｔ３，Ｔ１３，Ｔ２５〜Ｔ２６，Ｕ１〜Ｕ３，Ｕ１３，Ｕ２５〜Ｕ２６）に凝集が生じているだけで、概ね凝集防止効果が得られ、その濃度を特定することで、ｐＨ＝１０．５の低アルカリ領域で安定することが判る。
【００６３】
次に、上記実施例及び参考例Ａ１〜Ｖ３６（但し、参考例Ａ１１〜Ａ１２，Ａ２３〜Ａ２４，Ａ３５〜Ａ３６，Ｂ１１〜Ｂ１２，Ｂ２３〜Ｂ２４，Ｂ３５〜Ｂ３６，Ｃ１２，Ｃ２４，Ｃ３６，Ｄ１２，Ｄ２４，Ｄ３６，Ｇ１１〜Ｇ１２，Ｇ２４，Ｇ３５〜Ｇ３６，Ｈ１２，Ｉ１２，Ｉ２４，Ｉ３６，Ｊ１２，Ｊ２４，Ｊ３６，Ｋ１２，Ｋ２４，Ｋ３６，Ｌ１２，Ｌ２４，Ｌ３６，Ｍ９〜Ｍ１２，Ｍ２１〜Ｍ２４，Ｍ３３〜Ｍ３６，Ｎ１〜Ｎ３，Ｎ１０〜Ｎ１４，Ｎ２３〜Ｎ２８，Ｎ３４〜Ｎ３６，Ｏ１１〜Ｏ１２，Ｏ２４，Ｏ３５〜Ｏ３６，Ｐ１〜Ｐ３，Ｐ１０〜Ｐ１３，Ｐ２３〜Ｐ２７，Ｐ３４〜Ｐ３６，Ｑ１〜Ｑ３，Ｑ１０〜Ｑ１４，Ｑ２３〜Ｑ２８，Ｑ３４〜Ｑ３６，Ｒ１１〜Ｒ１２，Ｒ２３〜Ｒ２４，Ｒ３５〜Ｒ３６，Ｓ１０〜Ｓ１２，Ｓ２２〜Ｓ２４，Ｓ３４〜Ｓ３６，Ｔ１〜Ｔ３，Ｔ１３，Ｔ２５〜Ｔ２６，Ｕ１〜Ｕ３，Ｕ１３，Ｕ２５〜Ｕ２６を除く）の各インクについて耐水性試験を行った。この耐水性試験では、各インクを用いて、市販のプリンター（上記実施形態と同様の圧電アクチュエータ（但し、圧電素子の厚みは上記実施形態のものよりもかなり大きい）によりインクを吐出させるもの）で普通紙（商品名「Ｘｅｒｏｘ４０２４」：ゼロックス社製）に画像を形成し、この画像を形成した直後の用紙を純水に浸漬した後、室温で放置して乾燥させ、画像の滲みが生じるが否かを調べた。その結果を表２に示す。表２中、○は滲みなしを、また×は滲み有りを、さらに−は未実施をそれぞれ示している。
【００６４】
【表２】
0004015862.tif 000003
【００６５】
この表２の結果によると、実施例（参考例Ａ１１〜Ａ１２，Ａ２３〜Ａ２４，Ａ３５〜Ａ３６，Ｂ１１〜Ｂ１２，Ｂ２３〜Ｂ２４，Ｂ３５〜Ｂ３６，Ｃ１２，Ｃ２４，Ｃ３６，Ｄ１２，Ｄ２４，Ｄ３６，Ｇ１１〜Ｇ１２，Ｇ２４，Ｇ３５〜Ｇ３６，Ｈ１２，Ｉ１２，Ｉ２４，Ｉ３６，Ｊ１２，Ｊ２４，Ｊ３６，Ｋ１２，Ｋ２４，Ｋ３６，Ｌ１２，Ｌ２４，Ｌ３６，Ｍ９〜Ｍ１２，Ｍ２１〜Ｍ２４，Ｍ３３〜Ｍ３６，Ｎ１〜Ｎ３，Ｎ１０〜Ｎ１４，Ｎ２３〜Ｎ２８，Ｎ３４〜Ｎ３６，Ｏ１１〜Ｏ１２，Ｏ２４，Ｏ３５〜Ｏ３６，Ｐ１〜Ｐ３，Ｐ１０〜Ｐ１３，Ｐ２３〜Ｐ２７，Ｐ３４〜Ｐ３６，Ｑ１〜Ｑ３，Ｑ１０〜Ｑ１４，Ｑ２３〜Ｑ２８，Ｑ３４〜Ｑ３６，Ｒ１１〜Ｒ１２，Ｒ２３〜Ｒ２４，Ｒ３５〜Ｒ３６，Ｓ１０〜Ｓ１２，Ｓ２２〜Ｓ２４，Ｓ３４〜Ｓ３６，Ｔ１〜Ｔ３，Ｔ１３，Ｔ２５〜Ｔ２６，Ｕ１〜Ｕ３，Ｕ１３，Ｕ２５〜Ｕ２６を除く）ではいずれも滲みが生じず、良好な耐水性が得られることが判る。
【００６６】
さらに、実施例及び参考例Ａ１〜Ｖ３６（但し、参考例Ｇ１１〜１２，Ｇ２４，Ｇ３５〜Ｇ３６，Ｈ１２，Ｍ９〜Ｍ１２，Ｍ２１〜Ｍ２４，Ｍ３３〜Ｍ３６，Ｎ１０〜Ｎ１２，Ｎ２３〜Ｎ２４，Ｎ３４〜Ｎ３６，Ｏ１１〜Ｏ１２，Ｏ２４，Ｏ３５〜Ｏ３６，Ｐ１０〜Ｐ１２，Ｐ２３〜Ｐ２４，Ｐ３４〜Ｐ３６，Ｑ１０〜Ｑ１２，Ｑ２３〜Ｑ２４，Ｑ３４〜Ｑ３６を除く）の各インクについて吐出安定性試験を行った。この吐出安定性試験では、各インクがインクジェットヘッドから所望のインク滴になって吐出し、所定の形状及び寸法のインク滴が形成されるか否かを調べた。その結果を表３に示す。表３中、◎は優状態を、また○は良状態を、さらに△は可状態を、また×は不可状態を、また−は未実施をそれぞれ示している。
【００６７】
【表３】
0004015862.tif 000004
【００６８】
この表３の結果によれば、実施例（参考例Ａ１１〜Ａ１２，Ａ２３〜Ａ２４，Ａ３５〜Ａ３６，Ｂ１１〜Ｂ１２，Ｂ２３〜Ｂ２４，Ｂ３５〜Ｂ３６，Ｃ１２，Ｃ２４，Ｃ３６，Ｄ１２，Ｄ２４，Ｄ３６，Ｇ１１〜Ｇ１２，Ｇ２４，Ｇ３５〜Ｇ３６，Ｈ１２，Ｉ１２，Ｉ２４，Ｉ３６，Ｊ１２，Ｊ２４，Ｊ３６，Ｋ１２，Ｋ２４，Ｋ３６，Ｌ１２，Ｌ２４，Ｌ３６，Ｍ９〜Ｍ１２，Ｍ２１〜Ｍ２４，Ｍ３３〜Ｍ３６，Ｎ１〜Ｎ３，Ｎ１０〜Ｎ１４，Ｎ２３〜Ｎ２８，Ｎ３４〜Ｎ３６，Ｏ１１〜Ｏ１２，Ｏ２４，Ｏ３５〜Ｏ３６，Ｐ１〜Ｐ３，Ｐ１０〜Ｐ１３，Ｐ２３〜Ｐ２７，Ｐ３４〜Ｐ３６，Ｑ１〜Ｑ３，Ｑ１０〜Ｑ１４，Ｑ２３〜Ｑ２８，Ｑ３４〜Ｑ３６，Ｒ１１〜Ｒ１２，Ｒ２３〜Ｒ２４，Ｒ３５〜Ｒ３６，Ｓ１０〜Ｓ１２，Ｓ２２〜Ｓ２４，Ｓ３４〜Ｓ３６，Ｔ１〜Ｔ３，Ｔ１３，Ｔ２５〜Ｔ２６，Ｕ１〜Ｕ３，Ｕ１３，Ｕ２５〜Ｕ２６を除く）では、吐出安定性が得られた。
【００６９】
【発明の効果】
以上説明したように、請求項１〜６の発明によると、色材、保湿剤、加水分解性シラン、及び水を含有するインクジェット記録用インクにおいて、水溶性スルホキシド、ヘキサメチルホスホルアミド、又はシアノ基を分子中に有する水溶性有機化合物を水素イオン捕捉剤として含有させたことにより、染料等からなる色材の親水基部（極性基部）近傍に極性のある加水分解性シラン分子が緩い状態で集まっている系中に酸等を添加して系のｐＨを下げても、増加する水素イオンは水素イオン捕捉剤によりトラップされて、色材−耐水剤会合体のアミノ基に付加せず、インクの系が低ｐＨ領域で安定し、ｐＨに対する余裕度が大きくなってインクの長期保存安定性の向上を図ることができる。また、記録装置においてインクに接する部材の劣化を防止できるとともに、その部材からの可塑剤等の溶出によるインク自体での凝集物の沈殿を抑制でき、さらに高ｐＨによるインクの安全衛生面上の問題を解消することができる。
【図面の簡単な説明】
【図１】  本発明の実施形態に係るインクジェット記録用インクを備えたインクジェット式記録装置を示す概略斜視図である。
【図２】  インクジェット式記録装置のインクジェットヘッドの部分底面図である。
【図３】  図２のIII−III線断面図である。
【図４】  図２のIV−IV線断面図である。
【符号の説明】
Ａ  インクジェット式記録装置
１  インクジェットヘッド
２  ヘッド本体
４  圧力室
１４  ノズル
２１  圧電アクチュエータ
４１  記録紙
【図１】
0004015862.tif 000005
【図２】
0004015862.tif 000006
【図３】
0004015862.tif 000007
【図４】
0004015862.tif 000008